(57)【要約】      （修正有）【課題】画像が記録されて胴内排出された被記録媒体をユーザが容易に取り出すことができる薄型の画像記録装置の提供。【解決手段】プリンタ部の開口１６内には、給紙トレイ２９及び排紙トレイ２１が排紙トレイ２１を上側として上下二段に配置される。給紙トレイ２９に収容されている記録用紙は、搬送路２３に沿って搬送される過程で画像が記録されて排紙トレイ２１上に排出される。排紙トレイ２１の拡張トレイ６１は、第１姿勢において後端部１２２における上面９５が略水平に支持されている。排紙トレイ２１が第１姿勢から第２姿勢へ姿勢変化されることにより、第１姿勢に対して上面９５が給紙トレイ２９側へ移動された状態となる。この排紙トレイ２１の姿勢変化により、開口１６におけるユーザが記録用紙を取り出すために手を入れるための空間が下方へ拡張される。【選択図】図１７
2011093324.tif 000002
【特許請求の範囲】
【請求項１】
開口を有する装置本体と、
前記装置本体の開口内に配置され、シート状の被記録媒体を収容する第１トレイと、
前記装置本体に形成され、前記装置本体の開口内であって前記第１トレイの上方に配置される第２トレイと、
前記第１トレイから被記録媒体を搬送する第１搬送部と、
前記第１搬送部によって搬送された前記被記録媒体に画像を記録する記録部と、
前記記録部にて記録された被記録媒体を前記第２トレイへ搬送する第２搬送部と、を具備し、
前記第２トレイは、第１姿勢と、前記開口から引き出された位置にてその上面が上記第１姿勢よりも前記第１トレイ側となる第２姿勢と、の間で姿勢変化可能に構成され、前記第２搬送部によって搬送される被記録媒体を、前記第１姿勢または前記第２姿勢にて載置することを特徴とする画像記録装置。
【請求項２】
前記第２姿勢の前記第２トレイよりも前記第２搬送部側には、前記第２搬送部から搬送される被記録媒体を、前記第２姿勢の前記第２トレイとともに載置する載置トレイが形成されていることを特徴とする請求項１に記載の画像記録装置。
【請求項３】
前記第２トレイは、
前記第１姿勢において、前記第１トレイの前記開口側の端部と同じまたは内部に押し込まれた位置に配置され、
前記第２姿勢において、前記第１トレイの前記開口側の端部よりも引き出された位置に配置されることを特徴とする請求項１または２に記載の画像記録装置。
【請求項４】
前記第２トレイは、トレイ本体と、前記第２トレイが引き出される方向へ前記トレイ本体に対して引き出し可能な補助トレイ体と、を備え、
前記補助トレイ体と前記トレイ本体とによって、前記第２搬送部から搬送される被記録媒体を載置することを特徴とする請求項１から４のいずれかに記載の画像記録装置。
【請求項５】
前記第２トレイは、前記第１姿勢から前記第２姿勢へスライド可能に形成されることを特徴とする請求項１から４のいずれかに記載の画像記録装置。
【発明の詳細な説明】
【技術分野】
【０００１】
本発明は、画像が記録された被記録媒体を胴内排出する画像記録装置に関する。
【背景技術】
【０００２】
インクジェットプリンタやレーザプリンタなどの画像記録装置は、給紙トレイ及び排紙トレイを備えている。給紙トレイには、画像の記録に使用される記録用紙が収容される。この記録用紙は、給紙トレイから搬送され、その搬送過程で画像が記録されて排紙トレイへ排出される。この種の画像記録装置の中には、排紙トレイが装置本体の内側に設けられたいわゆる胴内排出タイプのものが知られている。
【０００３】
特許文献１に記載の画像形成装置は、画像読取部及び画像形成部を備える。この画像形成装置では、画像読取部により原稿の画像が読み取られ、画像形成部によりその原稿の画像が記録用紙に記録される。画像が記録された記録用紙は、排紙トレイに排出される。排紙トレイは、装置本体における上部に設けられた画像読取部と、下部に設けられた画像形成部との間に設けられている。排紙トレイは、記録用紙の排出方向の先端側が後端側よりも低くなるように傾斜されている。これにより、排紙トレイの上面が画像形成装置の外側へ向けられているので、排紙トレイが水平に設けられている場合に比べて、ユーザが排紙トレイから記録用紙を容易に取り出すことができる。
【０００４】
特許文献２には、操作パネルが設けられている装置本体の正面側から離れた位置に排出された記録用紙の取り出しを容易にする構成が開示されている。特許文献２に記載の画像形成装置は、画像が記録された記録用紙が排出される排紙トレイ、及び排紙トレイから記録用紙を取り出すための排出口が装置本体の側方に設けられている。画像が記録された記録用紙は、排紙トレイにおける装置本体の背面側に排出される。排紙トレイは、装置本体の正面側が背面側よりも低くなるように傾斜されている。このため、排紙トレイに排出された記録用紙が傾斜された排紙トレイに沿って装置本体の背面側から正面側へスライド移動する。これにより、装置本体の正面側からの記録用紙の取り出しが容易になる。
【０００５】
また、特許文献２には、排紙トレイが水平に配置された水平姿勢と、排紙トレイが上述のように傾斜された傾斜姿勢との間を回動可能とする構成が開示されている。ユーザが排紙トレイにおける装置本体の正面側を押し下げることによって排紙トレイが回動し、排紙トレイからの記録用紙の取り出しが容易になる。
【先行技術文献】
【特許文献】
【０００６】
【特許文献１】特開２００１−６３８９８号公報
【特許文献２】特開平５−１１６８３０号公報
【発明の概要】
【発明が解決しようとする課題】
【０００７】
特許文献１に記載の画像形成装置では、排紙トレイが傾斜して設けられているので、排紙トレイが水平に設けられている場合に比べて排紙トレイが占有する空間が増大する。このため、装置が大型化するという問題がある。特許文献２に記載の画像形成装置では、排紙トレイを回動させるための空間を設けておく必要があり、特許文献１に記載の画像形成装置と同様に装置が大型化するという問題がある。
【０００８】
本発明は、かかる問題に鑑みてなされたものであり、画像が記録されて胴内排出された被記録媒体をユーザが容易に取り出すことができる薄型の画像記録装置を提供することを目的とする。
【課題を解決するための手段】
【０００９】
開口を有する装置本体と、前記装置本体の開口内に配置され、シート状の被記録媒体を収容する第１トレイと、前記装置本体に形成され、前記装置本体の開口内であって前記第１トレイの上方に配置される第２トレイと、前記第１トレイから被記録媒体を搬送する第１搬送部と、前記第１搬送部によって搬送された前記被記録媒体に画像を記録する記録部と、前記記録部にて記録された被記録媒体を前記第２トレイへ搬送する第２搬送部と、を具備し、前記第２トレイは、第１姿勢と、前記開口から引き出された位置にてその上面が上記第１姿勢よりも前記第１トレイ側となる第２姿勢と、の間で姿勢変化可能に構成され、前記第２搬送部によって搬送される被記録媒体を、前記第１姿勢または前記第２姿勢にて載置する構成にされている。
【００１０】
前記第２姿勢の前記第２トレイよりも前記第２搬送部側には、前記第２搬送部から搬送される被記録媒体を、前記第２姿勢の前記第２トレイとともに載置する載置トレイが形成されているものでもよい。
【００１１】
前記第２トレイは、前記第１姿勢において、前記第１トレイの前記開口側の端部と同じまたは内部に押し込まれた位置に配置され、前記第２姿勢において、前記第１トレイの前記開口側の端部よりも引き出された位置に配置されるものでもよい。
【００１２】
前記第２トレイは、トレイ本体と、前記第２トレイが引き出される方向へ前記トレイ本体に対して引き出し可能な補助トレイ体と、を備え、前記補助トレイ体と前記トレイ本体とによって、前記第２搬送部から搬送される被記録媒体を載置するものでもよい。
【００１３】
前記第２トレイは、前記第１姿勢から前記第２姿勢へスライド可能に形成されるものでもよい。
【発明の効果】
【００１４】
本発明によれば、第２トレイが第１姿勢から第２姿勢へ姿勢変化されることによって開口における第２トレイ上の空間が下方へ拡張され、第２トレイからの被記録媒体の取り出しが容易となる。したがって、ユーザが第２トレイから被記録媒体を取り出しにくくなるといった不利益を被ることなく、開口の高さを低くして画像記録装置を薄型化することができる。
【図面の簡単な説明】
【００１５】
【図１】図１は、複合機１０の外観構成を示す斜視図である。
【図２】図２は、複合機１０の内部構成を示す縦断面図である。
【図３】図３は、プリンタ部２０の主要構成を示す部分拡大断面図である。
【図４】図４は、プリンタ部２０の主要構成を示す平面図である。
【図５】図５は、本実施形態に係る複合機１０の構成例を示すブロック図である。
【図６】図６は、給紙カセット５２の全体構成を示す斜視図である。
【図７】図７は、給紙トレイ２９の表面側を示す斜視図であり、トレイ本体５４に対して拡張トレイ５９が第２方向３７へ引き出された状態を示す。
【図８】図８は、図７に示される状態における給紙トレイ２９の裏面側を示す斜視図である。
【図９】図９は、給紙トレイ２９の表面側を示す斜視図であり、トレイ本体５４に対して拡張トレイ５９が第１方向３６へ押し込まれた状態を示す。
【図１０】図１０は、図９に示される状態における給紙トレイ２９の裏面側を示す斜視図である。
【図１１】図１１は、排紙トレイ２１の表面側を示す斜視図であり、トレイ本体５６に対して拡張トレイ６１が第２方向３７へ引き出された状態を示す。
【図１２】図１２は、図１１に示される状態における排紙トレイ２１の裏面側を示す斜視図である。
【図１３】図１３は、排紙トレイ２１の表面側を示す斜視図であり、トレイ本体５６に対して拡張トレイ６１が第１方向３６へ押し込まれた状態を示す。
【図１４】図１４は、図１３に示される状態における排紙トレイ２１の裏面側を示す斜視図である。
【図１５】図１５は、図１１におけるXV部の拡大図である。
【図１６】図１６は、図１１におけるXVI部の拡大図である。
【図１７】図１７は、給紙カセット５２の側面図であり、（Ａ）は排紙トレイ２１が第１姿勢の状態、（Ｂ）は排紙トレイ２１が第２姿勢の状態を示す。
【図１８】図１８は、排紙トレイ２１が第２姿勢に姿勢変化された給紙カセット５２を示す斜視図である。
【図１９】図１９は、拡張トレイ６１が第１方向３６へ押し込まれることによって排紙トレイ２１が第１姿勢から第２姿勢へ姿勢変化される様子を示す模式図である。
【図２０】図２０は、拡張トレイ６１が第２方向３７へ引き出されることによって排紙トレイ２１が第１姿勢から第２姿勢へ姿勢変化される様子を示す模式図である。
【図２１】図２１は、拡張トレイ５９が第２方向３７へ引き出されることによって排紙トレイ２１が第１姿勢から第２姿勢へ姿勢変化される様子を示す模式図である。
【図２２】図２２は、拡張トレイ５９が第１方向３６側へ押し込まれることによって排紙トレイ２１が第１姿勢から第２姿勢へ姿勢変化される様子を示す模式図である。
【図２３】図２３は、本発明の第２実施形態における給紙カセット５２の平面図である。
【図２４】図２４は、サブトレイ１２６が第１方向３６へ押し込まれることによって排紙トレイ２１が第１姿勢から第２姿勢へ姿勢変化される様子を示す模式図である。
【図２５】図２５は、後端部１１２が底９３に対して回動されることによって排紙トレイ２１が第１姿勢から第２姿勢へ姿勢変化される様子を示す模式図である。
【発明を実施するための形態】
【００１６】
以下、適宜図面が参照されて本発明の実施形態が説明される。なお、本実施形態は本発明の一例にすぎず、本発明の要旨を変更しない範囲で、実施形態を適宜変更できることは言うまでもない。
【００１７】
［第１実施形態］
まず、本発明の画像記録装置の一実施形態に係る複合機１０の構成及び動作について説明する。図１は、複合機１０の外観構成を示す斜視図である。
【００１８】
図１に示されるように、複合機１０は、プリンタ部２０（本発明の装置本体に相当する）を下部に備え、スキャナ部１２（本発明の読取部に相当する）を上部に備えて構成された多機能装置（ＭＦＤ：Multi Function Device）である。この複合機１０は、プリンタ
機能、スキャナ機能、コピー機能、ファクシミリ機能を有し、プリンタ部２０が本発明の画像記録装置に相当する。したがって、本発明に係る画像記録装置は複合機１０に限定されるものではなく、例えば、スキャナ部１２がなく、スキャナ機能やコピー機能を有しない単機能のプリンタにも本発明は適用可能である。
【００１９】
複合機１０は、主にコンピュータ等の外部情報装置（不図示）と接続される。複合機１０は、外部情報装置から送信された画像データや文書データなどを含む印刷データを受信する。複合機１０は、その印刷データに基づいて記録用紙（本発明におけるシート状の被記録媒体の一例）に画像を記録する。複合機１０は、スキャナ部１２により読み取られた原稿の画像データに基づいて記録用紙に画像を記録する。複合機１０は、デジタルカメラ等が接続されて、デジタルカメラ等から出力される画像データを記録用紙に記録する。複合機１０は、メモリカード等の各種記憶媒体が装填されて、該記憶媒体に記録された画像データ等を記録用紙に記録する。
【００２０】
図１に示されるように、複合機１０は、高さより横幅及び奥行きが大きい幅広薄型の概ね直方体形状を呈する。プリンタ部２０は、その正面側に開口１６が形成されている。この開口１６は、画像が記録されて開口１６内に胴内排出された記録用紙をユーザが取り出すためのものである。開口１６内には、給紙トレイ２９及び排紙トレイ２１が配置されている。給紙トレイ２９及び排紙トレイ２１は、排紙トレイ２１を給紙トレイ２９の上側として上下二段に配置される。給紙トレイ２９は、給紙トレイ２９の蓋として排紙トレイ２１が一体に設けられた給紙カセット５２（図６参照）である。
【００２１】
給紙トレイ２９は、画像の記録に使用される記録用紙を収容する。記録用紙としては、普通紙、光沢紙、インクジェット紙、ハガキ等が挙げられる。記録用紙は、給紙トレイ２９から搬送される過程で画像が記録されてプリンタ部２０の空間４０（図２参照）に胴内排出される。排紙トレイ２１は、この画像が記録された記録用紙を収容する。
【００２２】
給紙カセット５２は、開口１６を通してプリンタ部２０に対して挿抜される。本実施形態においては、図１に示されるように、開口１６が操作パネル１４と同じプリンタ部２０の正面側（図２における左側）に設けられている。これにより、例えば開口１６がプリンタ部２０の側面に形成されている場合に比べて、排紙トレイ２１からの記録用紙の取り出しは容易である。ただし、開口１６の位置はこれに限定されるものではない。開口１６は、プリンタ部２０の側面又は背面に形成されてもよい。なお、給紙カセット５２については後に詳述される。
【００２３】
プリンタ部２の正面の右下部には、扉２８（図１参照）が開閉自在に設けられている。扉２８の内側にはカートリッジ装着部（不図示）が設けられている。扉２８が開かれると、カートリッジ装着部が正面側に露出されてインクカートリッジが装抜可能になる。インクカートリッジは、カートリッジ装着部に装着されることにより、インクチューブ４１（図４参照）を介して記録ヘッド３９（図５参照）と連結される。後述のキャリッジ３８（図４参照）には、記録ヘッド３９と共にサブタンクが設けられている。サブタンクは、インクカートリッジから供給されたインクを貯留する。記録ヘッド３９は、このサブタンクから供給されるインクを吐出して記録用紙に画像を記録する。
【００２４】
複合機１０の上部はスキャナ部１２である。スキャナ部１２は、原稿の画像を読み取るものである。このスキャナ部１２は、フラットベッドスキャナ（ＦＢＳ：Flat Bed Scanner）や自動原稿搬送装置（ＡＤＦ：Automatic Document Feeder）３４を有して構成され
ている。スキャナ部１２は、原稿台３０及び原稿カバー１７を備える。原稿台３０は、ＦＢＳとして機能するものである。原稿台３０の天面には、原稿が載置されるプラテンガラスが設けられている。原稿台３０の内部には、原稿の画像を読み取るイメージセンサが設けられている。原稿カバー１７は、プラテンガラスに載置された原稿をプラテンガラスに密着させるものであり、原稿台３０に対して開閉自在に設けられている。原稿カバー１７には、ＡＤＦ３４とともに、第１原稿トレイ３２及び第２原稿トレイ１８が設けられている。
【００２５】
スキャナ部１２では、プラテンガラスに載置された原稿、又は第１原稿トレイ３２に載置された原稿の画像がイメージセンサによって読み取られる。第１原稿トレイ３２に原稿が載置された状態で原稿の読取開始が指示される。第１原稿トレイ３２に載置された原稿は、ＡＤＦ３４により所定の搬送路に沿って搬送されて第２原稿トレイ１８へ排出される。原稿は、その搬送過程で搬送路の所定位置に配置されたイメージセンサによってその画像が読み取られる。
【００２６】
プラテンガラスに原稿が載置された状態で原稿の読取開始が指示される。イメージセンサは、プラテンガラスに対向して原稿の副走査方向（プリンタ部２０の幅方向）へ移動される。その過程で、プラテンガラス上の原稿の画像がプラテンガラスを通してイメージセンサにより読み取られる。
【００２７】
複合機１０の正面上部には、操作パネル１４が設けられている。操作パネル１４は、各種情報を表示する液晶ディスプレイ、ユーザが情報を入力する入力キー等から構成される。複合機１０は、この操作パネル１４からの操作入力、又はコンピュータ等から送信される情報に基づいて動作する。
【００２８】
図２は、複合機１０の内部構成を示す縦断面図である。
【００２９】
図２に示されるように、複合機１０の底側には給紙トレイ２９が設けられている。この給紙トレイ２９の奥側（図２における右側）には、傾斜板２２（図６参照）が設けられている。傾斜板２２は、装置背面側（図２における右側）へ倒れるように傾斜している。傾斜板２２は、給紙トレイ２９から供給された記録用紙を分離して上方へ案内する。傾斜板２２の上方には搬送路２３が設けられている。搬送路２３は、記録用紙が搬送されるものであり、その一部が湾曲形成されている。具体的には、搬送路２３は、傾斜板２２から上方へ向かった後、複合機１０の正面側（図２における左側）へ曲がって正面側へと延び、画像記録ユニット２４（本発明の記録部に相当する）を通過して排紙トレイ２１へ通じている。給紙トレイ２９に収容された記録用紙は、搬送路２３に沿って下方から上方へＵターンするように案内されて画像記録ユニット２４に至り、画像記録ユニット２４により画像記録が行われて排紙トレイ２１上の空間４０に排出される。搬送路２３は、画像記録ユニット２４が配設されている箇所以外は、所定間隔で対向する外側ガイド面と内側ガイド面とから構成されている。
【００３０】
図３は、プリンタ部２０の主要構成を示す部分拡大断面図である。
【００３１】
図３に示されるように、給紙トレイ２９の上側には給紙ローラ２５が設けられている。給紙ローラ２５は、記録用紙と圧接して記録用紙を搬送ローラ６７及びピンチローラ６４（図１９参照）へ供給する。給紙ローラ２５は、湾曲形成された搬送路２３よりも記録用紙の搬送方向の上流側（以下、単に「上流側」とも称される。）に設けられている。給紙ローラ２５は、給紙トレイ２９に積載された記録用紙に圧接して記録用紙を傾斜板２２へ供給する。給紙ローラ２５は、給紙アーム２６の先端に軸支されている。給紙ローラ２５は、複数のギヤが噛合されてなる駆動伝達機構２７により、ＬＦモータ８５（図５参照）から駆動力が伝達されて回転される。
【００３２】
図３に示されるように、給紙アーム２６は、基軸２６Ａを回動軸として、給紙トレイ２９に接離可能に上下動される。給紙アーム２６は、自重により給紙トレイ２９に接触するように下側に回動される。これにより、給紙ローラ２５が給紙トレイ２９に接触される。給紙トレイ２９に記録用紙が収容されている場合、給紙ローラ２５は、給紙トレイ２９における最上位置の記録用紙に圧接される。給紙カセット５２（図６参照）が開口１６から挿抜される際には、給紙アーム２６が上側へ退避される。
【００３３】
給紙ローラ２５は、給紙トレイ２９上の記録用紙の表面に圧接された状態でＬＦモータ８５から伝達される駆動力により回転される。これにより、給紙ローラ２５のローラ面と記録用紙との間の摩擦力によって最上位置の記録用紙が傾斜板２２へ向けて送り出される。記録用紙は、その先端が傾斜板２２に当接して上方へ、つまり搬送路２３へ案内される。給紙ローラ２５によって最上位置の記録用紙が送り出される際に、その直下の記録用紙が摩擦や静電気の作用によって共に送り出される場合があるが、該記録用紙は傾斜板２２との当接によって制止される。
【００３４】
図３に示されるように、湾曲形成された搬送路２３よりも記録用紙の搬送方向の下流側（以下、単に「下流側」とも称される。）には、搬送ローラ６７（本発明の搬送部の一部）が設けられている。搬送路２３を挟んで搬送ローラ６７と対向する位置には、ピンチローラ６４（本発明の搬送部の一部）が設けられている（図１９参照）。なお、ピンチローラ６４は、図３には表れていない。ピンチローラ６４は、搬送ローラ６７に圧接可能に付勢されている。記録用紙は、給紙ローラ２５により搬送路２３へ供給されると、搬送ローラ６７とピンチローラ６４との間へ進入する。その際、ピンチローラ６４は記録用紙の厚み分だけ退避して記録用紙を搬送ローラ６７とともに狭持する。搬送ローラ６７は、ＬＦモータ８５（図５参照）から駆動力が伝達されて回転される。搬送ローラ６７の回転力が確実に記録用紙へ伝達され、記録用紙がプラテン４２（図３参照）上へ搬送される。
【００３５】
図３に示されるように、搬送ローラ６７の下流側には、画像記録ユニット２４（図４参照）が設けられている。画像記録ユニット２４は、主走査方向（図３の紙面に垂直な方向）へ往復動するキャリッジ３８（図４参照）にヘッド制御基板３３（図５参照）及び記録ヘッド３９（図５参照）が搭載されたものである。ここで、主走査方向は、記録用紙の搬送方向５０（図４参照）と略直交する方向である。記録ヘッド３９には、上述のインクカートリッジからインクチューブ４１（図４参照）を通じてインクが供給される。記録ヘッド３９は、記録用紙にインクを微小なインク滴として選択的に吐出する。記録用紙は、搬送ローラ６７及びピンチローラ６４によりプラテン４２上を搬送される。この搬送過程において、記録ヘッド３９は、キャリッジ３８の往復動により記録用紙の搬送方向と略直交する方向へ走査されながらインク滴を選択的に吐出する。これにより、プラテン４２上を通過する記録用紙に画像が記録される。
【００３６】
画像記録ユニット２４の下流側には、排紙ローラ６８（本発明の搬送部の一部、図３参照）が設けられている。搬送路２３を挟んで排紙ローラ６８と対向する位置には、拍車ローラ６９（本発明の搬送部の一部）が設けられている。拍車ローラ６９は、排紙ローラ６８に圧接されている。記録用紙は、上述のようにプラテン４２を通過する過程において画像記録ユニット２４により画像が記録される。この記録用紙が搬送ローラ６８と拍車ローラ６９との間へ進入すると、記録用紙は排紙ローラ６８及び拍車ローラ６９により狭持される。ＬＦモータ８５（図５参照）からの駆動力は、搬送ローラ６７と共に排紙ローラ６８へも伝達される。これにより、搬送ローラ６７及び排紙ローラ６８は、所定の改行幅で間欠駆動される。搬送ローラ６７及び排紙ローラ６８の回転は同期されている。画像が記録された記録用紙は、搬送ローラ６７、ピンチローラ６４、排紙ローラ６８、拍車ローラ６９（図１９参照）により搬送されて開口１６へ向けて排紙トレイ２１上に排出される。画像記録ユニット２４の上方には、スキャナ部１２が設けられている（図２参照）。スキャナ部１２との排紙トレイ２１との間には、空間４０（図２及び図３参照）が設けられている。画像が記録された記録用紙は、搬送路２３からこの空間４０に排出されて排紙トレイ２１に収容される。
【００３７】
図４は、プリンタ部２０の主要構成を示す平面図である。
【００３８】
図４に示されるように、搬送路２３の上側（図３における上側）には、一対のガイドレール４３，４４が設けられている。ガイドレール４３，４４は、記録用紙の搬送方向５０に所定距離を隔てられて、搬送方向５０と直交する方向（以下、「直交方向」とも称される。）５１に延設されている。キャリッジ３８は、ガイドレール４３，４４を跨ぐようにして搬送方向５０と直交する水平方向（直交方向５１）に往復動可能に載置されている。
【００３９】
ガイドレール４３は、ガイドレール４４よりも上流側に配設されている。ガイドレール４３は、搬送路２３（図３参照）の幅方向（直交方向５１）の長さがキャリッジ３８の往復動範囲より長い平板のものである。ガイドレール４３における下流側の上面がガイド面４３Ａである。キャリッジ３８における上流側の端部は、このガイド面４３Ａに摺動可能に支持される。
【００４０】
ガイドレール４４は、ガイドレール４３よりも下流側に配設されている。ガイドレール４４は、搬送路２３の幅方向の長さがガイドレール４３とほぼ同じ平板状のものである。ガイドレール４４における上流側の縁部４５は、上方へ向かって略直角に曲折されている。ガイドレール４４における下流側の上面がガイド面４４Ａである。キャリッジ３８における下流側の端部は、このガイド面４４Ａに摺動可能に支持される。キャリッジ３８は、縁部４５を不図示のローラ等により狭持する。これにより、キャリッジ３８が、ガイドレール４３，４４のガイド面４３Ａ，４４Ａ上に摺動自在に担持される。そして、キャリッジ３８は、ガイドレール４４の縁部４５を基準として、記録用紙の搬送方向と直交する水平方向（直交方向５１）に往復動可能となる。
【００４１】
ガイドレール４４の上面には、ベルト駆動機構４６が設けられている。ベルト駆動機構４６は、ガイドレール４４に沿って設けられている。ベルト駆動機構４６は、駆動プーリ４７、従動プーリ４８、及び駆動ベルト４９を有する。駆動プーリ４７及び従動プーリ４８は、搬送路２３の幅方向の両端付近にそれぞれ設けられている。駆動ベルト４９は、内側に歯が設けられた無端環状のものであり、駆動プーリ４７と従動プーリ４８との間に張り渡されている。駆動プーリ４７の外周には、駆動ベルト４９の歯と噛合する歯が形成されている。このため、駆動プーリ４７の回転が駆動ベルト４９に確実に伝達され、駆動ベルト４９が周運動される。キャリッジ３８は、この駆動ベルト４９と連結されている。このため、キャリッジ３８は、ベルト駆動機構４６の動作に基づいてガイドレール４３，４４上を直交方向５１へ往復動する。記録ヘッド３９は、このキャリッジ３８に搭載されている。このため、記録ヘッド３９は、直交方向５１を主走査方向として往復動可能となっている。
【００４２】
駆動プーリ４７は、ガイド面４４Ａと直交する方向を軸として、ガイドレール４４の上面の一方端（図４では右端）に回転自在に設けられている。つまり、駆動プーリ４７の軸方向は、鉛直方向である。図４には表れていないが、ガイドレール４４の下側にはＣＲ（キャリッジ）モータ８０（図５参照）が設けられている。ＣＲモータ８０の駆動力は、駆動プーリ４７の軸へ伝達される。これにより、駆動プーリ４７が回転されてキャリッジ３８が往復動される。
【００４３】
図４に示されるように、搬送路２３の下側には、記録ヘッド３９と対向してプラテン４２が配設されている。プラテン４２は、キャリッジ３８の往復動範囲のうち、記録用紙が通過する中央部分に渡って配設されている。プラテン４２の幅は、搬送可能な記録用紙の最大幅より十分に大きいものである。このため、記録用紙は、その両端が常にプラテン４２の上を通過するように搬送路２３に沿って搬送される。プラテン４２とガイドレール４３，４４とは所定間隔が隔てられた状態で平行している。このため、ガイドレール４３，４４上をスライド移動される記録ヘッド３９の下面と、プラテン４２の上面とが所定のヘッドギャップで対向される。
【００４４】
図５は、本実施形態に係る複合機１０の構成例を示すブロック図である。
【００４５】
制御部１００は、複合機１０の全体動作を制御する。制御部１００は、図５に示されるように、ＣＰＵ（Central Processing Unit）１０１、ＲＯＭ（Read Only Memory）１０
２、ＲＡＭ（Random Access Memory）１０３、ＥＥＰＲＯＭ（Electrically Erasable and Programmable ROM）１０４を主とするマイクロコンピュータとして構成されている。この制御部１００は、バス１０７を介してＡＳＩＣ（Application Specific Integrated Circuit）１０９と接続されている。
【００４６】
ＲＯＭ１０２には、ＣＰＵ１０１が複合機１０の各種動作を制御するためのプログラム等が格納されている。ＲＡＭ１０３は、ＣＰＵ１０１が上記プログラムを実行する際に用いる各種データを一時的に記憶する記憶領域又は作業領域として使用される。ＥＥＰＲＯＭ１０４には、電源オフ後も保持すべき設定やフラグ等が格納される。
【００４７】
ＡＳＩＣ１０９には、ヘッド制御基板３３、駆動回路８２、駆動回路８１、スキャナ部１２（図１参照）、操作パネル１４（図１参照）等が接続されている。
【００４８】
ヘッド制御基板３３は、ＡＳＩＣ１０９から入力される画像信号に基づいて、記録ヘッド３９を駆動制御する。これにより、記録ヘッド３９のノズル（不図示）から所定のタイミングでインクが選択的に吐出され、記録用紙に画像が記録される。なお、ヘッド制御基板３３は、記録ヘッド３９と共にキャリッジ３８（図４参照）に搭載されている。
【００４９】
駆動回路８２は、ＡＳＩＣ１０９から入力される相励磁信号等に基づいて、ＣＲモータ８０に駆動信号を通電する。この駆動信号を受けたＣＲモータ８０が回転することにより、キャリッジ３８の往復動が制御される。
【００５０】
駆動回路８１は、ＬＦモータ８５を駆動させるものである。ＬＦモータ８５には、図３に示される給紙ローラ２５、搬送ローラ６７、及び排紙ローラ６８が接続されている。駆動回路８１は、ＡＳＩＣ１０９からの出力信号を受けてＬＦモータ８５を駆動させる。ＬＦモータ８５の駆動力は、ギヤや駆動軸等からなる周知の駆動機構を介して、給紙ローラ２５、搬送ローラ６７、及び排紙ローラ６８へ選択的に伝達される。
【００５１】
図６は、給紙カセット５２の全体構成を示す斜視図である。
【００５２】
給紙カセット５２は、大別して、給紙トレイ２９と排紙トレイ２１とを備える。排紙トレイ２１は、給紙カセット２９の上部に回動可能に支持されている。排紙トレイ２１は、後述の第１方向３６及び第２方向３７と略直交する水平な方向（以下、「水平方向」とも称される）７４を軸として、給紙トレイ２９側及び上側へ回動可能に構成されている。給紙トレイ２９に対して排紙トレイ２１が倒伏されることにより、給紙トレイ２９の上面が排紙トレイ２１に覆われる（図６参照）。この状態で、排紙トレイ２１は、画像が記録された記録用紙を保持するとともに給紙トレイ２９の蓋として機能する。これにより、給紙トレイ２９へのゴミの進入が防止される。また、給紙トレイ２９に対して排紙トレイ２１が起立されることによって給紙トレイ２９の上面が開放され、給紙トレイ２９への記録用紙の補充が可能となる。なお、給紙トレイ２９の奥側における上方は、駆動伝達機構２７（図２参照）が配置されるために開放されている。
【００５３】
給紙トレイ２９は、トレイ本体５４と拡張トレイ５９とを有する。給紙トレイ２９は、トレイ本体５４に対して拡張トレイ５９が第１方向３６及び第２方向３７へスライド可能に構成されている。ここで、第１方向３６は、拡張トレイ５９や後述の拡張トレイ６１が開口１６（図１及び図２参照）内へ押し込まれる方向である。第２方向３７は、拡張トレイ５９や拡張トレイ６１が開口１６から引き出される方向である。後述されるが、拡張トレイ５９は、後端部１１２が後端部１２２（本発明の端部に相当）よりも第１方向３６側及び第２方向３７側へスライド可能にトレイ本体５４に設けられている。トレイ本体５４に対して拡張トレイ５９が必要に応じて第２方向３７又は第１方向３６へスライドされることにより、給紙トレイ２９のシート積載面が搬送方向５０（図４参照）へ拡張又は縮小される。これにより、給紙カセット２９には各種サイズの記録用紙を収容することができる。なお、搬送方向５０と第２方向３７とは同一方向である。
【００５４】
排紙トレイ２１は、トレイ本体５６と拡張トレイ６１とを有する。排紙トレイ２１は、トレイ本体５６に対して拡張トレイ６１が第１方向３６及び第２方向３７へスライド可能に構成されている。後述されるが、拡張トレイ６１は、後端部１２２が後端部１１２よりも第１方向３６側及び第２方向３７側へスライド可能にトレイ本体５６に設けられている。トレイ本体５６に対して拡張トレイ６１が拡張トレイ５９に合わせて第２方向３７又は第１方向３６へスライドされる。これにより、給紙トレイ２９の上方が排紙トレイ２１に覆われた状態が維持される。すなわち、給紙トレイ２９に収容される記録用紙のサイズを変更するために拡張トレイ５９の位置が変更されたとしても、排紙トレイ２１が給紙トレイ２９の蓋として機能する。
【００５５】
図７は、給紙トレイ２９の表面側を示す斜視図であり、トレイ本体５４に対して拡張トレイ５９が第２方向３７へ引き出された状態を示す。図８は、図７に示される状態における給紙トレイ２９の裏面側を示す斜視図である。図９は、給紙トレイ２９の表面側を示す斜視図であり、トレイ本体５４に対して拡張トレイ５９が第１方向３６へ押し込まれた状態を示す。図１０は、図９に示される状態における給紙トレイ２９の裏面側を示す斜視図である。なお、図７〜図１０においては、給紙トレイ２９から排紙トレイ２１が取り外された状態が示されている。
【００５６】
図７〜図１０に示されるように、トレイ本体５４は、第１方向３６及び第２方向３７に長い矩形状に形成されている。トレイ本体５４の先端６０に傾斜板２２（図２及び図３参照）が設けられている。傾斜板２２は、トレイ本体５４の幅方向（図６における水平方向７４）に長い板状部材からなる。傾斜板２２は、装置背面側（第１方向３６側）へ傾倒している。したがって、傾斜板２２に記録用紙の先端が当接すると、その先端が傾斜板２２の内側面６２に沿って斜め上方へ案内される。すなわち、内側面６２は、記録用紙を搬送路２３（図３参照）へ案内するガイド面の役割を担う。
【００５７】
内側面６２には、分離部材７１が設けられている。分離部材７１は、内側面６２において傾斜板２２の長手方向の中央に配設されている。分離部材７１は、内側面６２から突出された複数の歯が傾斜板２２の傾斜方向に並んで配設されてなる。複数枚の記録用紙が重ねられた状態で給送されて、その用紙束の先端が内側面６２に当接すると、用紙束の先端が分離部材７１によって捌かれる。その際に、分離部材７１の歯が記録用紙と記録用紙との間に入り込み、記録用紙間に隙間ができる。これにより、記録用紙が分離されやすくなり、給送の際に給紙ローラ２５から記録用紙に付与された力と相俟って、最上位の記録用紙のみが下位の記録用紙から確実に分離される。
【００５８】
内側面６２には、二つの回転コロ６５が回転自在に設けられている。回転コロ６５は、傾斜板２２の長手方向における分離部材７１を挟んだ対称位置に設けられている。回転コロ６５は、そのローラ面が内側面６２から露出されている。回転コロ６５が回転することによって、記録用紙に付加される搬送摩擦が軽減される。
【００５９】
トレイ本体５４には、一対のサイドガイド７０が設けられている。サイドガイド７０は、トレイ本体５４の幅方向（水平方向７４）へスライド可能に設けられている。サイドガイド７０は、給紙トレイ２９に載置された記録用紙の幅方向の位置を規制するものである。具体的には、給紙トレイ２９に載置された記録用紙の幅方向の位置を予め定められた基準位置（本実施形態では給紙トレイ２９の幅方向の中央）に略一致させるように規制するものである。このように、記録用紙の幅方向の中央位置を基準位置に一致させるように記録用紙を規制することは、一般にセンターレジと呼ばれている。なお、図７及び図９には、サイドガイド７０がトレイ本体５４の幅方向の外側へ移動された状態が示されている。また、図１８には、サイドガイド７０がトレイ本体５４の幅方向の内側へ移動された状態が示されている。
【００６０】
サイドガイド７０には、幅方向中央側へ延出されたラックギヤ７６（図８及び図１０参照）が設けられている。ラックギヤ７６は、トレイ本体５４の幅方向中央に埋設されたピニオンギヤ７７に噛合されている。２つのサイドガイド７０のうちいずれか一方が水平方向７４へスライドされると、他方が連動して相反する方向へスライドされる。したがって、給紙トレイ２９に載置された記録用紙の幅がサイドガイド７０の離間距離よりも短い場合は、サイドガイド７０の一方をスライドさせることにより２つのサイドガイド７０それぞれが同時に移動される。これにより、記録用紙の幅方向の中央位置が上記基準位置に略一致する。
【００６１】
トレイ本体５４には、側端ガイド７８が設けられている。側端ガイド７８は、トレイ本体５４の幅方向の両端に設けられている。側端ガイド７８は、トレイ本体５４の底７３から上方へ垂直に起立している。側端ガイド７８には、排紙トレイ２１（図１１参照）を支持するための軸受け孔６６が設けられている。
【００６２】
側端ガイド７８（図７〜図１０参照）は、断面が逆Ｕ字形状のガイド溝７５を有する。ガイド溝７５は、拡張トレイ５９のスライド方向を第１方向３６及び第２方向３７へ規制するものである。ガイド溝７５に、拡張トレイ５９のレール８８が挿入される。
【００６３】
トレイ本体５４には、凹部７９が形成されている。凹部７９は、トレイ本体５４の長手方向に沿って長い矩形状に形成されている。凹部７９には、２本のレール７２（図７及び図９参照）が設けられている。図７及び図９に示されるように、レール７２は、凹部７９の底面から垂直方向に立設されている。レール７２は、凹部７９の長手方向の全域にわたって設けられている。レール７２が拡張トレイ５９のガイド溝１０８（図８及び図１０参照）に挿入されることにより、拡張トレイ５９のスライド方向が第１方向３６及び第２方向３７に規制される。
【００６４】
図７〜図１０に示されるように、拡張トレイ５９は、水平方向７４（図６参照）に長い矩形状に形成されている。拡張トレイ５９の後端部１１２（本発明の端部に相当する）における幅方向の中央には、水平な上面１０５が形成されている。排紙トレイ２１の拡張トレイ６１は、この上面１０５に支持される（図６参照）。
【００６５】
拡張トレイ５９の幅方向両端それぞれには、幅方向の壁面を構成するとともに、トレイ本体５４のガイド溝７５に挿入されるレール８８が第１方向３６及び第２方向３７へ延びるように設けられている。レール８８は、ガイド溝７５に挿入され得る位置及び形状に形成されている。
【００６６】
図７〜図１０に示されるように、拡張トレイ５９には上側挿入部９０と下側挿入部９１とが設けられている。上側挿入部９０は、第１方向３６及び第２方向３７を長手方向として拡張トレイ５９の幅方向中央に設けられている。図７及び図９に示されるように、上側挿入部９０は、凹部７９の上側を覆うようにトレイ本体５４に挿入される。したがって、上側挿入部９０は、凹部７９に対応した位置及び形状に形成されている。
【００６７】
図８及び図１０に示されるように、上側挿入部９０の裏面には、拡張トレイ５９の短手方向に沿って２本のガイド溝１０８が形成されている。ガイド溝１０８にトレイ本体５４のレール７２（図７及び図９参照）が挿入される。したがって、ガイド溝１０８は、レール７２に対応した位置に設けられている。
【００６８】
上側挿入部９０の幅方向中央には、長手方向全域にわたってスリット１１０（図７及び図９参照）が形成されている。上側挿入部９０には、リヤガイド１４０（図７及び図９参照）が設けられている。リヤガイド１４０は、給紙トレイ２９に載置された記録用紙の後端に当接してその後端の位置を規制するものである。リヤガイド１４０の下部は、スリット１１０に挿入されている。これにより、リヤガイド１４０はスリット１１０に沿ってスライド可能に支持される。したがって、リヤガイド１４０は、先端８３と後端部１１２との間でスライド可能である。リヤガイド１４０が記録用紙の後端に向けてスライドされると、記録用紙の後端がリヤガイド１４０のガイド面に当接する。これにより、記録用紙の後端が揃えられる。
【００６９】
拡張トレイ５９の底９３のうち、上側挿入部９０を除く部分が下側挿入部９１（図８及び図１０参照）である。つまり、下側挿入部９１は、上側挿入部９０の幅方向両端の外側に設けられている。図７〜図１０に示されるように、下側挿入部９１は、トレイ本体５４の裏面側に潜り込むように挿入される。上側挿入部９０と下側挿入部９１との境界には、スリット１１１が形成されている（図７及び図９参照）。スリット１１１は、スリット１１０の延設方向と同方向に延び、スリット１１０と略同形状に形成されている。スリット１１１によって、上側挿入部９０と下側挿入部９１とが拡張トレイ５９の幅方向に分離されている。これにより、拡張トレイ５９をトレイ本体５４に取り付ける際に、上側挿入部９０をトレイ本体５４の底７３の表面側に露出するように挿入し、下側挿入部９１を底７３の裏面側に潜り込ませるように挿入することが可能となる。
【００７０】
このようにトレイ本体５４及び拡張トレイ５９が構成されているため、トレイ本体５４に対して拡張トレイ５９が第１方向３６及び第２方向３７へスライド可能となる。拡張トレイ５９がトレイ本体５４に収容された状態（図９及び図１０参照）から第２方向３７へ引き出されることにより、給紙トレイ２９のシート積載面が拡張される。逆に、拡張トレイ５９がトレイ本体５４から引き出された状態（例えば、図６〜８参照）からトレイ本体５４に対して第１方向３６へ押し込まれることにより、給紙トレイ２９のシート積載面が縮小される。
【００７１】
図１１は、排紙トレイ２１の表面側を示す斜視図であり、トレイ本体５６に対して拡張トレイ６１が第２方向３７へ引き出された状態を示す。図１２は、図１１に示される状態における排紙トレイ２１の裏面側を示す斜視図である。図１３は、排紙トレイ２１の表面側を示す斜視図であり、トレイ本体５６に対して拡張トレイ６１が第１方向３６へ押し込まれた状態を示す。図１４は、図１３に示される状態における排紙トレイ２１の裏面側を示す斜視図である。なお、図１１〜図１４では、排紙トレイ２１が給紙トレイ２９から取り外された状態が示されている。
【００７２】
トレイ本体５６及び拡張トレイ６１の幅は、側端ガイド７８間の離間距離よりも短く設定されている。このため、トレイ本体５６がトレイ本体５４に支持されることにより、排紙トレイ２１は、給紙トレイ２９の幅方向の内側に配置される。
【００７３】
トレイ本体５６は、平面視で略凹形状に形成されている（図１２及び図１４参照）。図１１〜図１４に示されるように、トレイ本体５６には、回動軸３５が設けられている。回動軸３５は、トレイ本体５６の先端８４における幅方向（図６における水平方向７４）の両端に設けられている。回動軸３５が軸受け孔６６（図７等参照）に挿入されることによって、排紙トレイ２１が給紙トレイ２９の幅方向を軸として、その上方で回動可能に支持される。
【００７４】
図１５は、図１１におけるXV部の拡大図である。図１６は、図１１におけるXVI部の拡
大図である。
【００７５】
図１５及び図１６に示されるように、トレイ本体５６は、その上面に断面がＵ字形状のガイド溝１１５を有する。ガイド溝１１５は、トレイ本体５６の表面が裏面側へ凹むように形成されている。ガイド溝１１５は、第１方向３６及び第２方向３７へ延びるようにトレイ本体５６の全域にわたって設けられている。ガイド溝１１５に拡張トレイ６１の凸片５８（図１２参照）が挿入されることによって、拡張トレイ６１のスライド方向が第１方向３６及び第２方向３７に規制される。
【００７６】
図１５及び図１６に示されるように、トレイ本体５６は、その上面にレール９８が設けられている。レール９８は、トレイ本体５６の幅方向にガイド溝１１５と交互に並べられている。レール９８は、トレイ本体５６の表面から垂直方向に立設されている。レール９８は、第１方向３６及び第２方向３７に延びるようにトレイ本体５６の全域にわたって設けられている。レール９８が拡張トレイ６１のガイド溝８６（図１２参照）に挿入されることにより、拡張トレイ６１のスライド方向が第１方向３６及び第２方向３７に規制される。
【００７７】
拡張トレイ６１は、図１１〜図１４に示されるように、幅方向に長い矩形状に形成されている。拡張トレイ６１は、上面が平らに形成された平面部１１４、及び平面部１１４に対して第１方向３６側へ下方に傾斜された傾斜部１０６からなる。
【００７８】
平面部１１４は、後端部１２２に開口１２０（図１１及び図２３参照）が設けられている。後端部１２２は、拡張トレイ６１における開口１６（図１及び図２参照）側の端部である。開口１２０は、後端部１２２において、後端面１１７の幅方向の中央から上面９５にわたって設けられている。図１２及び図１４に示されるように、平面部１１４の裏面側には、サブトレイ６３が収容される収容部１２７が設けられている。収容部１２７は、第１方向３６及び第２方向３７へ延びる側壁１２４及び支持片１３５を有する。支持片１３５は、側壁１２４の下端から平面部１１４の幅方向の中央へ突出されている。
【００７９】
サブトレイ６３は、幅方向（水平方向７４）の長さと奥行き方向（第１方向３６及び第２方向３７）の長さが略等しい矩形状に形成されている。サブトレイ６３は、収容部１２７に収容されて支持片１３５に下方から支持される。サブトレイ６３は、図１２に示される状態から第２方向３７へ拡張トレイ６１に対してスライド可能に設けられている。サブトレイ６３は、図には示されていないが、拡張トレイ６１から第２方向３７へ引き出されることによって後端面１１７から突出する。これにより、拡張トレイ６１におけるシート載置面が第２方向３７側へ拡張される。
【００８０】
図１２及び図１４に示されるように、平面部１１４は、その裏面側に凹部１２９が形成されている。凹部１２９は、平面部１１４の短手方向に長い矩形状に形成されている。凹部１２９は、第２方向３７側の端部に後端部１２２が設けられており、第１方向３６側の端部は開放されている。この凹部１２９には、トレイ本体５６に設けられた凸部１１３（図１２及び図１４参照）が収容される。これにより、拡張トレイ６１は、トレイ本体５６により下方から支持される。
【００８１】
図１２に示されるように、傾斜部１０６の先端９６（図１１及び図１３参照）の裏側には、トレイ本体５６のガイド溝１１５（図１１及び図１３参照）に挿入される凸片５８が設けられている。凸片５８は、先端９６の裏面から下方へ突出するように形成されてる。凸片５８は、ガイド溝１１５に挿入され得る位置及び形状に形成されている。
【００８２】
図１２に示されるように、傾斜部１０６の裏面における先端９６側には、断面が逆Ｕ字形状のガイド溝８６が形成されている。ガイド溝８６にトレイ本体５６のレール９８（図１１及び図１３参照）が挿入される。したがって、ガイド溝８６は、レール９８に対応した位置に設けられている。拡張トレイ６１の凸片５８がトレイ本体５６のガイド溝１１５に挿入され、トレイ本体５６のレール９８が拡張トレイ６１のガイド溝８６に挿入される。これにより、拡張トレイ６１のスライド方向が第１方向３６及び第２方向３７に規制される。
【００８３】
このようにトレイ本体５６及び拡張トレイ６１が構成されているため、トレイ本体５６に対して拡張トレイ６１が第１方向３６及び第２方向３７へスライド可能となる。すなわち、拡張トレイ６１における後端部１２２は、第１方向３６及び第２方向３７へスライド可能に構成されている。拡張トレイ６１がトレイ本体５６に対して押し込まれた状態（図１３及び図１４参照）から第２方向３７側へ引き出されることにより、排紙トレイ２１のシート積載面が拡張される。逆に、拡張トレイ６１がトレイ本体５６から引き出された状態（図１１及び図１２）から第１方向３６へ押し込まれることにより、排紙トレイ２１のシート積載面が縮小される。
【００８４】
また、回動軸３５が軸受け部６６に支持されることによってトレイ本体５６が水平方向７４（図６参照）を軸として上下に回動可能に構成されている。拡張トレイ６１がこのトレイ本体５６に設けられているので、拡張トレイ６１の後端部１２２は、後端部１１２により支持されない状態において、水平方向７４を軸として給紙トレイ２９側へ回動可能である。
【００８５】
例えば、複合機１０において原稿の読取開始が指示されると、スキャナ部１２により原稿の画像が読み取られる。プリンタ部２０は、この原稿の画像に基づいて印刷処理を実行する。この印刷処理は、以下のように行われる。すなわち、ＬＦモータ８５（図５参照）の駆動力が給紙ローラ２５、搬送ローラ６７、及び排紙ローラ６８に選択的に伝達される。これにより、給紙トレイ２９に収容されている記録用紙が搬送路２３に沿って搬送される。記録用紙は、その搬送過程で画像記録ユニット２４により画像が記録され、開口１６へ向けて空間４０（図２参照）へ排出される。
【００８６】
図１７は、給紙カセット５２の側面図であり、（Ａ）は排紙トレイ２１が第１姿勢の状態、（Ｂ）は排紙トレイ２１が第２姿勢の状態を示す。図１８は、排紙トレイ２１が第２姿勢に姿勢変化された給紙カセット５２を示す斜視図である。図１９は、拡張トレイ６１が第１方向３６へ押し込まれることによって排紙トレイ２１が第１姿勢から第２姿勢へ姿勢変化される様子を示す模式図である。
【００８７】
トレイ本体５６及び拡張トレイ６１が上述のように構成されているので、排紙トレイ２１は、第１姿勢と第２姿勢との間で姿勢変化可能である。第１姿勢は、排紙トレイ２１の後端部１２２における上面９５が略水平に支持された状態である（例えば図２、図６、図１７（Ａ）参照、図１９（Ａ）参照）。本実施形態では、この第１姿勢において、排紙トレイ２１の拡張トレイ６１が給紙トレイ２９の上面１０５（図７参照）よりも上側に配置される。排紙トレイ２１は、後端部１２２が後端部１１２に支持されることによって第１姿勢に維持される。詳細には、後端部１２２が後端部１１２の上面１０５（図７参照）に載置されることによって排紙トレイ２１が第１姿勢に維持される。換言すれば、後端部１２２の下面９９（例えば図１１参照）が上面１０５に当接することによって排紙トレイ２１が第１姿勢に維持される。すなわち、第１姿勢は、後端部１２２の給紙トレイ２９側への移動が規制された状態である。
【００８８】
第２姿勢は、上述の第１姿勢に対して上面９５が給紙トレイ２１側へ移動された状態である（例えば図１７（Ｂ）、図１８、及び図１９（Ｄ）参照）。本実施形態では、この第２姿勢において、後端部１２２の下面９９が上面１０５よりも下側に配置される。第２姿勢については、後に詳述される。
【００８９】
記録用紙は、排紙トレイ２１が第１姿勢に維持された状態で排紙トレイ２１上に排出される。例えば図６に示されるように、第１姿勢では、給紙トレイ２９の上方が排紙トレイ２１によって覆われている。このため、排紙トレイ２１に収容された記録用紙に付着している紙粉などのゴミが給紙トレイ２９へ進入することが防止される。
【００９０】
本実施形態に係る複合機１０では、画像が記録された記録用紙は、プリンタ部２０の背面側（図１７の各図における右側）から開口１６へ向けて空間４０へ排出される。このため、印刷処理に例えばハガキなどの小サイズの記録用紙（以下、「小サイズ用紙」とも称される。）が使用された場合、小サイズ用紙は、排紙トレイ２１上の開口１６から離れた位置に載置される（図１７（Ａ）、図１９（Ａ）参照）。この場合、ユーザが開口１６に対して拡張トレイ６１を押し込むことによって排紙トレイ２１からの小サイズ用紙の取り出しが容易になる。
【００９１】
図１７〜図１９に示されるように、開口１６に対して拡張トレイ６１が押し込まれる。トレイ本体５６がトレイ本体５４に支持されているので、拡張トレイ６１がトレイ本体５６に対して第１方向３６へスライドされる（図１９（Ａ）及び（Ｂ）参照）。後端部１２２が後端部１１２よりも第１方向３６側へスライドされることにより、後端部１１２による後端部１２２の支持が解除される。給紙トレイ２９に小サイズ用紙が収容された状態では、給紙トレイ２９内における開口１６側に小サイズ用紙が配置されていない空間８７（図１９参照）が生じる。拡張トレイ６１は、トレイ本体５６に設けられているので、水平方向７４（図６参照）を軸として給紙トレイ２９側へ回動可能である。後端部１１２による後端部１２２の支持が解除されることによってトレイ本体５６が給紙トレイ２９側へ回動可能となり、拡張トレイ６１が空間８７へ回動する（図１９（Ｂ）〜（Ｄ）参照）。その結果、排紙トレイ２１は、後端部１２２の上面９５が給紙トレイ２９側へ移動して下面９９が後端部１１２の上面１０５よりも下側に配置された第２姿勢となる（図１７（Ｂ）、図１８、及び図１９（Ｄ）参照）。このように、排紙トレイ２１は、給紙トレイ２９の拡張トレイ５９に対して拡張トレイ６１が第１方向３６へ相対移動されることにより、第１姿勢から第２姿勢へ姿勢変化可能となる。
【００９２】
上述の要領で排紙トレイ２１が第１姿勢から第２姿勢へ姿勢変化されることにより、開口１６における排紙トレイ２１上の空間が下方に拡張される。換言すれば、排紙トレイ２１に排出された記録用紙を取り出すためにユーザが手を入れるための空間が下方に拡張される。図１７（Ａ）及び（Ｂ）に示されるように、排紙トレイ２１が第１姿勢のときにＨ１であった開口１６における空間の高さが、排紙トレイ２１が第２姿勢に姿勢変化されることによってＨ２となる。このため、ユーザが開口１６のより奥まで手を入れることが可能となり、排紙トレイ２１上に排出された記録用紙が小サイズ用紙であっても、ユーザは、排紙トレイ２１から記録用紙を容易に取り出すことができる。したがって、ユーザが排紙トレイ２１から記録用紙を取り出しにくくなるといった不利益を被ることなく、開口１６の高さ（カバー下３１の高さ）を低くしてスキャナ部１２及びプリンタ部２０が上下二段に設けられた複合機１０を薄型化することができる。これは、本実施形態に係る画像記録装置が単機能のプリンタである場合も同様である。
【００９３】
［第１変形例］
拡張トレイ５９には、コイルバネ１３１（図１９（Ａ）参照）が設けられていてもよい。コイルバネ１３１は、排紙トレイ２１を第２姿勢から第１姿勢へ姿勢変化するように弾性付勢するものである。コイルバネ１３１は、底９３（図７参照）における第２方向３７側の端部であって、シート積載面の外側に設けられている。なお、図７などでは、このコイルバネ１３１は省略されている。
【００９４】
拡張トレイ６１は、ユーザが排紙トレイ２１から小サイズ用紙を取り出すために給紙トレイ２９の空間８７へ押し下げられる（図１９（Ａ）〜（Ｄ）参照）。すなわち、排紙トレイ２１は、外力が加えられて第１姿勢から第２姿勢へ姿勢変化する。コイルバネ１３１は、拡張トレイ６１の下降に伴って収縮され、排紙トレイ２１を上方へ押し上げるバネ力を蓄える。ユーザが拡張トレイ６１から手を離して外力が除かれることにより、拡張トレイ６１は、コイルバネ１３１が蓄えたバネ力によって上昇する。このように、排紙トレイ２１は、外力が除かれることによって第１姿勢側に戻される。
【００９５】
なお、コイルバネの設置場所は底９３に限定されるものではない。コイルバネは、プリンタ部２０のカバー下３１（図２参照）にその一端が固定され、その他端が拡張トレイ６１の上面９５に固定されるように、排紙トレイ２１におけるシート積載面の外側に設けられてもよい。これにより、拡張トレイ６１がコイルバネによりカバー下３１から吊り下げられた状態で排紙トレイ２１が第１姿勢に維持される。ユーザが拡張トレイ６１を押し下げることによってコイルバネが伸張される。これにより、コイルバネは、排紙トレイ２１を上方へ引き上げるバネ力を蓄える。ユーザが拡張トレイ６１から手を離すことによってコイルバネが収縮され、コイルバネが蓄えたバネ力によって排紙トレイ２１が第１姿勢側に戻される。
【００９６】
また、本発明における付勢部材として、軸３５（図６参照）にネジリコイルバネを設けてもよい。ユーザが拡張トレイ６１を押し下げることによってネジリコイルバネが捻られて排紙トレイ２１を上方へ回動させるバネ力が蓄えられる。ユーザが拡張トレイ６１から手を離すと、ネジリコイルバネが蓄えたバネ力によって排紙トレイ２１が第１姿勢側に戻される。
【００９７】
［第２変形例］
排紙トレイ２１は、ユーザが拡張トレイ６１を第２方向３７側へ引き出すことによって第１姿勢から第２姿勢へ姿勢変化されてもよい。
【００９８】
図２０は、拡張トレイ６１が第２方向３７へ引き出されることによって排紙トレイ２１が第１姿勢から第２姿勢へ姿勢変化される様子を示す模式図である。なお、この図２０に基づく以下の説明においては、後端部１１２の幅が拡張トレイ６１の幅よりも狭く、拡張トレイ６１の裏面側（図７参照）に後端部１１２が収容され得る空間が設けられているものとする。
【００９９】
排紙トレイ２１が第１姿勢に維持されている状態（例えば図１及び図６参照）において、開口１６に対して拡張トレイ６１が引き出される。トレイ本体５６がトレイ本体５４に支持されているので、拡張トレイ６１がトレイ本体５６に対して第２方向３７へスライドされる（図２０（Ａ）〜（Ｃ）参照）。後端部１２２が後端部１１２よりも第２方向３７側へスライドされることにより、後端部１１２による後端部１２２の支持が解除される。後端部１１２による後端部１２２の支持が解除されることによってトレイ本体５６が給紙トレイ２９側へ回動可能となり、排紙トレイ２１に作用する重力によって拡張トレイ６１が第２方向３７における給紙トレイ２９の外側へ回動する（図２０（Ｃ）及び（Ｄ）参照）。その結果、排紙トレイ２１は、後端部１２２の上面９５が給紙トレイ２９側へ移動して下面９９が後端部１１２の上面１０５よりも下側に配置された第２姿勢となる（図２０（Ｄ）参照）。
【０１００】
このように、排紙トレイ２１は、トレイ本体５６に対して拡張トレイ６１が第１方向３６へ相対移動されることにより、第１姿勢から第２姿勢へ姿勢変化可能となる。排紙トレイ２１が第１姿勢から第２姿勢へ姿勢変化されることにより、開口１６における排紙トレイ２１上の空間が下方に拡張される。図２０（Ａ）及び（Ｄ）に示されるように、排紙トレイ２１が第１姿勢のときにＨ３であった開口１６における空間の高さが、排紙トレイ２１が第２姿勢に姿勢変化されることによってＨ４となる。これにより、ユーザは、排紙トレイ２１から小サイズ用紙を容易に取り出すことができる。
【０１０１】
［第３変形例］
排紙トレイ２１は、ユーザが拡張トレイ５９を第２方向３７側へ引き出すことによって第１姿勢から第２姿勢へ姿勢変化されてもよい。
【０１０２】
図２１は、拡張トレイ５９が第２方向３７へ引き出されることによって排紙トレイ２１が第１姿勢から第２姿勢へ姿勢変化される様子を示す模式図である。
【０１０３】
排紙トレイ２１が第１姿勢に維持されている状態（例えば図１及び図６参照）において、開口１６に対して拡張トレイ５９が引き出される。これにより、トレイ本体５４に対して拡張トレイ５９が第２方向３７へスライドされる（図２１（Ａ）及び（Ｂ）参照）。後端部１１２が後端部１２２よりも第２方向３７側へスライドされることにより、後端部１１２による後端部１２２の支持が解除される（図２１（Ｂ）参照）。後端部１１２による後端部１２２の支持が解除されることによってトレイ本体５６が給紙トレイ２９側へ回動可能となり、拡張トレイ６１が給紙トレイ２９内の空間８７（図２１参照）へ回動する（図２１（Ｂ）及び（Ｃ）参照）。その結果、排紙トレイ２１は、後端部１２２の上面９５が給紙トレイ２９側へ移動して下面９９が後端部１１２の上面１０５よりも下側に配置された第２姿勢となる（図２１（Ｃ）参照）。
【０１０４】
このように、排紙トレイ２１は、トレイ本体５４に対して拡張トレイ５９が第２方向３７へ相対移動されることにより、第１姿勢から第２姿勢へ姿勢変化可能となる。この姿勢変化により、開口１６における排紙トレイ２１上の空間が下方に拡張される。図２１（Ａ）及び（Ｃ）に示されるように、排紙トレイ２１が第１姿勢のときにＨ５であった開口１６における空間の高さが、排紙トレイ２１が第２姿勢に姿勢変化されることによってＨ６となる。これにより、ユーザは、排紙トレイ２１から小サイズ用紙を容易に取り出すことができる。
【０１０５】
［第４変形例］
排紙トレイ２１は、ユーザが拡張トレイ５９を第１方向３６側へ押し込むことによって第１姿勢から第２姿勢へ姿勢変化されてもよい。
【０１０６】
図２２は、拡張トレイ５９が第１方向３６側へ押し込まれることによって排紙トレイ２１が第１姿勢から第２姿勢へ姿勢変化される様子を示す模式図である。なお、この図２２に基づく以下の説明においては、後端部１１２の幅が拡張トレイ６１の幅よりも狭く、拡張トレイ６１の裏面側（図７参照）に後端部１１２が収容され得る空間が設けられているものとする。
【０１０７】
排紙トレイ２１が第１姿勢に維持されている状態（例えば図１及び図６参照）において、開口１６に対して拡張トレイ５９が押し込まれる。なお、給紙トレイ２９には小サイズ用紙が収容されているので、拡張トレイ５９の押し込みが可能である。拡張トレイ５９の押し込みにより、トレイ本体５４に対して拡張トレイ５９が第１方向３６へスライドされる（図２２（Ａ）及び（Ｂ）参照）。後端部１１２が後端部１２２よりも第１方向３６側へスライドされることにより、後端部１１２による後端部１２２の支持が解除される。後端部１１２による後端部１２２の支持が解除されることによってトレイ本体５６が給紙トレイ２９側へ回動可能となり、排紙トレイ２１に作用する重力によって拡張トレイ６１が第２方向３７（図２２の各図における左側）における給紙トレイ２９の外側へ回動する（図２２（Ｃ）及び（Ｄ）参照）。その結果、排紙トレイ２１は、後端部１２２の上面９５が給紙トレイ２９側へ移動して下面９９が後端部１１２の上面１０５よりも下側に配置された第２姿勢となる（図２２（Ｃ）参照）。
【０１０８】
このように、排紙トレイ２１は、トレイ本体５４に対して拡張トレイ５９が第１方向３６へ相対移動されることにより、第１姿勢から第２姿勢へ姿勢変化可能となる。この姿勢変化により、開口１６における排紙トレイ２１上の空間が下方に拡張される。図２２（Ａ）及び（Ｃ）に示されるように、排紙トレイ２１が第１姿勢のときにＨ７であった開口１６における空間の高さが、排紙トレイ２１が第２姿勢に姿勢変化されることによってＨ８となる。これにより、ユーザは、排紙トレイ２１から小サイズ用紙を容易に取り出すことができる。
【０１０９】
［第２実施形態］
以下に、本発明の第２実施形態が説明される。第２実施形態に係る複合機１０は、排紙トレイ２１の構成が一部異なるほかは、第１実施形態と同様の構成である。このため、排紙トレイ２１以外の構成の説明は省略される。
【０１１０】
図２３は、本発明の第２実施形態における給紙カセット５２の平面図である。
【０１１１】
本実施形態においては、排紙トレイ２１は、トレイ本体５６と、拡張トレイ１３３と、サブトレイ１２６とを有して構成されている。
【０１１２】
拡張トレイ１３３は、その開口１６側（図２３における下側）の一部が第１方向３６側（プリンタ部２０の奥側）へ切り欠かれることによって開口１４７（本発明の切り欠き部の一例）が形成されている。この開口１４７は、開口１２０（図１１参照）と同様に、後端面１１７から上面９５にわたって形成されている。開口１４７は、開口１２０に比べて後端面１１７及び上面９５がより広範囲に切り欠かれることによって形成されている（図６及び図２３参照）。この開口１４７は、ユーザが開口１４７を通して空間８７へ手を入れることが可能なように、ユーザの手の大きさに合わせて形成されている。
【０１１３】
サブトレイ１２６は、サブトレイ６３（図６及び図１２参照）と略同形状のものであって、開口１４７に合わせてサブトレイ６３よりも大きく形成されている。サブトレイ１２６が拡張トレイ１３３の開口１４７に配置されることにより、開口１４７が閉塞される。サブトレイ１２６における第１方向３６側の端部には、サブトレイ１２６の幅方向外側へ突出する回動軸１４５が設けられている。
【０１１４】
図２３に示されるように、拡張トレイ１３３の裏面側には、サブトレイ１２６が収容されている収容部の幅方向の両側にガイド溝１３７が設けられている。ガイド溝１３７は、サブトレイ１２６の回動軸１２７を支持するものであり、断面がコの字形のものである。ガイド溝１３７は、サブトレイ１２６の回動軸１４５に対応する位置に、第１方向３６及び第２方向３７へ延びるように形成されている。サブトレイ１２６は、回動軸１４５がガイド溝１３７に支持されることにより、第１方向３６及び第２方向３７へスライド可能、且つ給紙トレイ２９側へ回動可能に拡張トレイ１３３に設けられている。
【０１１５】
図２４は、サブトレイ１２６が第１方向３６へ押し込まれることによって排紙トレイ２１が第１姿勢から第２姿勢へ姿勢変化される様子を示す模式図である。
【０１１６】
ここでの排紙トレイ２１は、拡張トレイ１３３の後端部１２２、及びサブトレイ１２６の後端部１４２が後端部１１２（図７参照）に支持されることによって第１姿勢に維持される（図２３及び図２４（Ａ）参照）。排紙トレイ２１は、後端部１４２の下面１４８が上面１０５に当接することによって第１姿勢に維持される。この第１姿勢では、サブトレイ１２６の上面１５が略水平に支持される（図２４（Ａ）参照）。この状態からユーザによってサブトレイ１２６が押し込まれる。これにより、拡張トレイ１３３に対してサブトレイ１２６が第１方向３６へスライドされる（図２４（Ａ）及び（Ｂ）参照）。後端部１４２が後端部１１２よりも第１方向３６側へスライドされることにより、後端部１１２による後端部１４２の支持が解除される（図２４（Ｂ）参照）。後端部１１２による後端部１４２の支持が解除されることによってサブトレイ１２６が給紙トレイ２９側へ回動可能となり、サブトレイ１２６が給紙トレイ２９内の空間８７へ回動する（図２４（Ｂ）〜（Ｄ）参照）。その結果、排紙トレイ２１は、後端部１４２の上面１５が給紙トレイ２９側へ移動して下面１４８が後端部１１２の上面１０５よりも下側に配置された第２姿勢となる（図２４（Ｄ）参照）。
【０１１７】
このように、排紙トレイ２１は、拡張トレイ１３３に対してサブトレイ１２６が第１方向３６へ相対移動されることにより、第１姿勢から第２姿勢へ姿勢変化可能となる。この姿勢変化により、開口１６における排紙トレイ２１上の空間が開口１４７の下側まで拡張される。図２４（Ａ）及び（Ｄ）に示されるように、排紙トレイ２１が第１姿勢のときにＨ９であった開口１６における空間の高さが、排紙トレイ２１が第２姿勢に姿勢変化されることによってＨ１０となる。これにより、排紙トレイ２１から記録用紙を取り出すためにユーザが手を入れるための空間が下方へ拡張され、ユーザは、排紙トレイ２１から小サイズ用紙を容易に取り出すことができる。
【０１１８】
なお、本実施形態においてはトレイ本体５６及び拡張トレイ１３３が別部材で構成されている形態について説明したが、これらが一体に形成されて本発明における第２トレイ本体が構成されてもよい。
【０１１９】
本実施形態においては、給紙トレイ２９における記録用紙の基準位置にセンターレジが採用されているため、記録用紙は、排紙トレイ２１の幅方向の中央位置を基準に排紙トレイ２１上に排出される。記録用紙の幅方向の端部を給紙トレイ２９における幅方向の端部に一致させるサイドレジの場合、記録用紙は、排紙トレイ２１の幅方向の端部を基準に排紙トレイ２１上に排出されることとなる。この場合、排紙トレイ２１上に排出される記録用紙の基準位置に応じて、開口１４７の位置を拡張トレイ１３３の幅方向端部に変更することが好ましい。
【０１２０】
本発明の第１実施形態及び第２実施形態においては、拡張トレイ６１又はサブトレイ１２６が第１方向３６又は第２方向３７へ相対移動されることによって排紙トレイ２１が第１姿勢から第２姿勢へ姿勢変化される形態について説明した。ただし、排紙トレイ２１は、その構成部材が相対移動されることなく第１姿勢から第２姿勢へ姿勢変化可能に構成されてもよい。
【０１２１】
［第３実施形態］
以下に、本発明の第３実施形態が説明される。第３実施形態に係る複合機１０は、排紙トレイ２１の構成が一部異なるほかは、第１実施形態と同様の構成である。このため、排紙トレイ２１以外の構成の説明は省略される。
【０１２２】
図２５は、後端部１１２が底９３に対して回動されることによって排紙トレイ２１が第１姿勢から第２姿勢へ姿勢変化される様子を示す模式図である。
【０１２３】
図２５に示されるように、拡張トレイ５９の後端部１１２は、ヒンジ１４９を介して外側へ回動可能に構成されてもよい。排紙トレイ２１が第１姿勢に維持されている状態（図２５（Ａ）参照）において、後端部１１２が開口１６側（図２５の各図における左側）へ回動される。後端部１１２が回動されることにより、後端部１１２による後端部１２２の支持が解除される（図２５（Ｂ）参照）。後端部１１２による後端部１２２の支持が解除されることによってトレイ本体５６が給紙トレイ２９側へ回動可能となり、排紙トレイ２１に作用する重力によって後端部１２２が給紙トレイ２９上へ回動する（図２５（Ｂ）及び（Ｃ）参照）。その結果、排紙トレイ２１は、後端部１２２の上面９５が給紙トレイ２９側へ移動して下面９９が後端部１１２の上面１０５（図２５（Ａ）参照）よりも下側に配置された第２姿勢となる（図２５（Ａ）及び（Ｃ）参照）。このようにして排紙トレイ２１が第１姿勢から第２姿勢へ姿勢変化されることにより、開口１６における排紙トレイ２１上の空間が下方に拡張される。
【０１２４】
なお、上記実施形態においては、排紙トレイ２１が給紙トレイ２９の蓋として給紙トレイ２９に設けられている形態について説明したが、排紙トレイ２１は、給紙トレイ２９ではなくプリンタ部２０（例えばカバー下３１）に設けられていてもよい。
【０１２５】
また、上記実施形態においては、排紙トレイ２１が給紙トレイ２９へ向けて回動されて第１姿勢から第２姿勢へ姿勢変化される形態について説明したが、排紙トレイ２１は、水平姿勢を維持したまま給紙トレイ２９側へ下降されるように構成されていてもよい。換言すれば、例えば拡張トレイ６１及びトレイ本体５９が一体的に給紙トレイ２９側へ移動可能に排紙トレイ２１が構成されてもよい。すなわち、本発明における排紙トレイ２１の第１姿勢から第２姿勢への姿勢変化は、排紙トレイ２１の回動に限定されるものではなく、排紙トレイ２１の給紙トレイ２９側へのスライドであってもよい。
【０１２６】
また、上記実施形態においては、トレイ本体５６が給紙トレイ２９側へ回動されることにより排紙トレイ２１が第１姿勢から第２姿勢へ姿勢変化される形態について説明したが、トレイ本体５６と拡張トレイ６１とを個別に設け、拡張トレイ６１が水平姿勢を維持したまま給紙トレイ２９側へ下降されるように構成されていてもよい。
【符号の説明】
【０１２７】
１０・・・複合機
１２・・・スキャナ部
１５・・・上面
１６・・・開口
２０・・・プリンタ部
２１・・・排紙トレイ
２４・・・画像記録ユニット
２５・・・給紙ローラ
２９・・・給紙トレイ
３６・・・第１方向
３７・・・第２方向
４０・・・空間
５４・・・トレイ本体
５６・・・トレイ本体
５９・・・拡張トレイ
６１・・・拡張トレイ
６７・・・搬送ローラ
６８・・・排紙ローラ
７４・・・水平方向
８５・・・ＬＦモータ
９５・・・上面
１０５・・・上面
１１２・・・後端部
１２２・・・後端部
１２６・・・サブトレイ
１３１・・・コイルバネ
１３３・・・拡張トレイ
１４２・・・後端部
１４７・・・開口
【図１】
2011093324.tif 000003
【図２】
2011093324.tif 000004
【図３】
2011093324.tif 000005
【図４】
2011093324.tif 000006
【図５】
2011093324.tif 000007
【図６】
2011093324.tif 000008
【図７】
2011093324.tif 000009
【図８】
2011093324.tif 000010
【図９】
2011093324.tif 000011
【図１０】
2011093324.tif 000012
【図１１】
2011093324.tif 000013
【図１２】
2011093324.tif 000014
【図１３】
2011093324.tif 000015
【図１４】
2011093324.tif 000016
【図１５】
2011093324.tif 000017
【図１６】
2011093324.tif 000018
【図１７】
2011093324.tif 000019
【図１８】
2011093324.tif 000020
【図１９】
2011093324.tif 000021
【図２０】
2011093324.tif 000022
【図２１】
2011093324.tif 000023
【図２２】
2011093324.tif 000024
【図２３】
2011093324.tif 000025
【図２４】
2011093324.tif 000026
【図２５】
2011093324.tif 000027